(57)【要約】【課題】正確な指示を実現することができるとともに、測定値変化時における指針の回動動作表示を円滑にすることができる計器及び計器の指針表示方法を提供すること。【解決手段】マイクロコンピュータ４は車速センサ７からの検出信号を受け、この検出信号から車速を算出し、算出した車速から基準座標軸Ａｓに対する振れ角である絶対振れ角θｂを求める。その後、ＲＯＭ１から読み出した指針長Ｒ及び絶対振れ角θｂから指針２０の可動端２２の表示座標（ｘｍ，ｙｍ）を算出し、グラフィックコントローラ５に対して固定端２１の座標（ｘ，ｙ）＝（０，０）、可動端２２の座標（ｘｍ，ｙｍ）を送信して指針２０の表示命令を出す。【選択図】図５
2006234505.tif 000002
【特許請求の範囲】
【請求項１】
複数の画素から構成され、特定の画素を表示座標により指定することで所定の画像を表示する表示手段と、
前記表示手段に複数の目盛を円弧状に表示させる目盛盤形成データと、少なくとも指針の指針長データ及び回動中心となる基端点位置データを含む指針形成データとを記憶する表示基本データ記憶手段と、
表示対象の検出値に基づいて予め定めた基準座標軸からの振れ角を求めて、指針の先端点の表示座標を示す先端点位置データを求める指針位置演算手段と、
前記目盛盤形成データ、前記指針形成データ、及び前記先端点位置データを読み込み、前記目盛盤形成データに基づいて目盛盤画像を生成するとともに、前記先端点位置データと前記指針形成データとに基づいて指針画像を生成し、前記目盛盤画像と前記指針画像との合成画像を前記表示手段に表示させる画像生成手段とを備えることを特徴とする計器。
【請求項２】
前記基準座標軸に対する前記指針の振れ角のうち最小目盛に対応する最小振れ角及び最大目盛に対応する最大振れ角を記憶する振れ角記憶手段と、
前記最大振れ角と前記最小振れ角との差分値を前記目盛盤の最大目盛と最小目盛との差分値で除すことにより単位目盛あたりの振れ角（単位振れ角）を算出する単位振れ角算出手段とを備え、
前記指針位置演算手段は前記検出値に基づいて前記基準座標軸に対する指針の振れ角を求めることを特徴とする請求項１に記載の計器。
【請求項３】
前記基準座標軸に対する前記指針の振れ角のうち最小目盛に対応する最小振れ角と最大目盛に対応する最大振れ角との差分値を前記目盛盤の最大目盛と最小目盛との差分値で除すことにより求められる単位目盛あたりの振れ角（単位振れ角）を記憶する単位振れ角記憶手段を備え、
前記指針位置演算手段は前記検出値に基づいて前記基準座標軸に対する指針の振れ角を求めることを特徴とする請求項１に記載の計器。
【請求項４】
前記表示基本データ記憶手段は、前記指針形成データとして、指針の太さを指定するデータ（指針太さデータ）を有しており、
前記画像生成手段は、前記指針太さデータに基づいて前記指針画像を生成することを特徴とする請求項１乃至請求項３のいずれかに記載の計器。
【請求項５】
前記表示基本データ記憶手段は、前記指針形成データとして、指針の色を指定するデータ（指針色データ）を有しており、
前記画像生成手段は、前記指針色データに基づいて前記指針画像を生成することを特徴とする請求項１乃至請求項３のいずれかに記載の計器。
【請求項６】
前記表示基本データ記憶手段は、前記指針形成データとして、アンチエイリアシング処理に関するデータを有しており、
前記画像生成手段は、前記アンチエイリアシング処理に関するデータに基づいて前記指針画像を生成することを特徴とする請求項１乃至請求項３のいずれかに記載の計器。
【請求項７】
複数の画素から構成され、特定の画素を表示座標により指定することで所定の画像を表示する表示手段と、
前記表示手段に複数の目盛を円弧状に配した目盛盤を表示させる目盛盤形成データと、少なくとも指針の指針長データ及び回動中心となる基端点位置データを含む指針形成データとを記憶する表示基本データ記憶手段とを備え、
前記表示手段に対し、表示対象の検出値に応じてアナログ表示形式で指針表示させる計器の指針表示方法であって、
前記表示手段の表示座標に対し、指針の前記基端点を含み、基準角度位置を示す基準座標軸を予め定めておき、
表示対象の検出値に基づいて、前記基準座標軸に対する前記指針の振れ角を求めて、前記指針の先端点の表示座標を示す先端点位置データを求め、
前記目盛盤形成データに基づいて目盛盤画像を生成するとともに、前記先端点位置データと前記指針形成データとに基づいて指針画像を生成し、前記目盛盤画像と前記指針画像との合成画像を前記表示手段に表示させることを特徴とする計器の指針表示方法。
【発明の詳細な説明】
【技術分野】
【０００１】
本発明は、例えば自動車等の車両に搭載される計器及び計器の指針表示方法に関するもので、特にグラフィックディスプレイ上でアナログ表示を行うものに関する。
【背景技術】
【０００２】
自動車等の走行車両には運転者に対して現在の車速を視覚的に認識させるためのスピードメータが搭載されており、近年では液晶パネルを用いたものが採用されている。これは、液晶パネル上に目盛・数字を円弧状に配した目盛盤と車速に応じた目盛又は数字を指示する指針とを表示し、所定周期で指針の表示更新を行うことで現在の車速を知らしめるようになっている。
【０００３】
具体的には、目盛盤を表す目盛盤データをメモリにあらかじめ記憶するとともに、各車速に対応したｎ個の指針データをメモリに記憶しておく。また、指針データは、指針形状、発光色、液晶パネル上における表示位置を記憶している。
【０００４】
そして、スピードメータ動作時には、車速に応じた指針データを適宜読み出し、そのデータに基づいて指針を液晶パネル上に表示することにより、指針の表示及び回動動作表示を実現している（例えば、特許文献１参照）。
【特許文献１】特開２００３−１３７００７号公報
【発明の開示】
【発明が解決しようとする課題】
【０００５】
ところで、スピードメータの果たす機能は上記のように運転者に現在の車速を視覚的に認識させるためである。これは運転者が道路状況や交通法規を考慮して最適な速度に調整するための重要な情報源となることを意味しており、よって正確な指示が求められている。また、運転者が視覚的に認識するため、見栄え等を考慮すると車速変化時における指針の回動動作表示に円滑さが求められる。
【０００６】
しかしながら上記方法では、指針データの数が限られているため、車速に完全に一致した速度指示をすることが困難となる場合があり、このような場合には近似的な速度指示となるから、速度指示の正確性に欠けるという問題があった。また、車速変化時における指針の回動動作がステップ状となるから、指針の回動動作の円滑化を実現ができないという問題が生じていた。
【０００７】
このことは、自動車等のスピードメータに限らず、グラフィックディスプレイ上にアナログ形式で表示する一般計器にも共通する問題といえる。
【０００８】
本発明は、上記問題に鑑みてなされたものであり、指針表示の正確性を高めるとともに、円滑な指針の回動動作表示を実現可能な計器及び計器の指針表示方法を提供することを目的とする。
【課題を解決するための手段】
【０００９】
請求項１に記載の発明では、複数の画素から構成され、特定の画素を表示座標により指定することで所定の画像を表示する表示手段と、表示手段に複数の目盛を円弧状に表示させる目盛盤形成データと、少なくとも指針の指針長データ及び回動中心となる基端点位置データを含む指針形成データとを記憶する表示基本データ記憶手段と、表示対象の検出値に基づいて予め定めた基準座標軸からの振れ角を求めて、指針の先端点の表示座標を示す先端点位置データを求める指針位置演算手段と、目盛盤形成データ、指針形成データ、及び先端点位置データを読み込み、目盛盤データに基づいて目盛盤画像を生成するとともに、先端点位置データと前記指針形成データとに基づいて指針画像を生成し、目盛盤画像と指針画像との合成画像を表示手段に表示させる画像生成手段とを備えることを特徴としている。
【００１０】
上記構成では、まず、指針位置演算手段が表示対象の検出値に基づいて基準座標軸からの振れ角を求め、この振れ角、指針長データ及び基端点位置データとから指針の先端点の表示座標を示す先端点位置データを求める。そして、画像生成手段が先端点位置データと指針形成データとから指針画像を生成するとともに、目盛盤データから目盛盤画像生成し、両画像を表示手段に表示させている。
【００１１】
このようにすれば、検出値と指示値を常に一致させることが可能であり、結果として正確な指示を実現することができるとともに、検出値変化時における指針の回動動作表示の円滑性を確保することができる。
【００１２】
ここで、先端点位置データを求めるに際して、振れ角、指針長データ及び基端点位置データを用いて例えば三角関数計算を行うという簡易な処理によって先端点の表示座標を求めることができる。これによって、先端点の表示表示座標の算出処理時間を一層短縮化することができるから、例えば短時間で測定値が大幅に変化するような場合であっても、確実に指針の表示を追従させることができる。
【００１３】
請求項２の発明では、基準座標軸に対する前記指針の振れ角のうち最小目盛に対応する最小振れ角及び最大目盛に対応する最大振れ角を記憶する振れ角記憶手段と、最大振れ角と最小振れ角との差分値を目盛盤の最大目盛と最小目盛との差分値で除すことにより単位目盛あたりの振れ角（単位振れ角）を算出する単位振れ角算出手段とを備え、指針位置演算手段は検出値に基づいて基準座標軸に対する指針の振れ角を求めることを特徴としている。
【００１４】
このようにすれば、簡易な処理によって先端点の表示座標を求めることができるから、指針の表示処理を高速化することができる。
【００１５】
請求項３の発明では、基準座標軸に対する指針の振れ角のうち最小目盛に対応する最小振れ角と最大目盛に対応する最大振れ角との差分値を前記目盛盤の最大目盛と最小目盛との差分値で除すことにより求められる単位目盛あたりの振れ角（単位振れ角）を記憶する単位振れ角記憶手段を備え、指針位置演算手段は検出値に基づいて基準座標軸に対する指針の振れ角を求めることを特徴としている。
【００１６】
このようにすれば、単位振れ角の算出処理が不要となるから、指針位置演算手段の処理をさらに高速化することができる。
【００１７】
請求項４の発明では、表示基本データ記憶手段は、指針形成データとして、指針の太さを指定するデータ（指針太さデータ）を有しており、画像生成手段は、指針太さデータに基づいて前記指針画像を生成することを特徴としている。
【００１８】
これによって、目盛盤の形状・大きさ・デザインに応じて最適な指針の太さを選択することができるから、見栄えを向上させることができる。
【００１９】
請求項５の発明では、表示基本データ記憶手段は、指針形成データとして、指針の色を指定するデータ（指針色データ）を有しており、画像生成手段は、指針色データに基づいて指針画像を生成することを特徴としている。
【００２０】
これによって、目盛盤の色に応じて最適な指針の色を選択することができるから、見栄えを向上させることができる。
【００２１】
請求項６の発明では、表示基本データ記憶手段は、指針形成データとして、アンチエイリアシング処理に関するデータを有しており、画像生成手段は、アンチエイリアシング処理に関するデータに基づいて指針画像を生成することを特徴としている。
【００２２】
これによって、指針の斜め線の外縁に発生する階段状のギザギザ（エイリアシング）を消すことができるから、指針の見栄えを向上させることができる。
【００２３】
請求項７の発明では、複数の画素から構成され、特定の画素を表示座標により指定することで所定の画像を表示する表示手段と、表示手段に複数の目盛を円弧状に配した目盛盤を表示させる目盛盤形成データと、少なくとも指針の指針長データ及び回動中心となる基端点位置データを含む指針形成データとを記憶する表示基本データ記憶手段とを備え、表示手段に対し、表示対象の検出値に応じてアナログ表示形式で指針表示させる計器の指針表示方法であって、表示手段の表示座標に対し、前記指針の前記基端点を含み、基準角度位置を示す基準座標軸を予め定めておき、表示対象の検出値に基づいて、基準座標軸に対する指針の振れ角を求めて、指針の先端点の表示座標を示す先端点位置データを求め、目盛盤データに基づいて目盛盤画像を生成するとともに、先端点位置データと指針形成データとに基づいて指針画像を生成し、目盛盤画像と前記指針画像との合成画像を前記表示手段に表示させることを特徴としている。
【００２４】
上記構成では、まず、指針位置演算手段が表示対象の検出値に基づいて基準座標軸からの振れ角を求め、この振れ角、指針長情報及び基端点位置情報とから指針の先端点の表示座標を示す先端点位置データを求める。そして、画像生成手段が先端点位置データと指針形成データとから指針画像を生成するとともに、目盛盤データから目盛盤画像生成し、両画像を表示手段に表示させている。
【００２５】
このようにすれば、検出値と指示値を常に一致させることが可能であり、結果として正確な指示を実現することができるとともに、検出値変化時における指針の回動動作表示の円滑性を確保することができる。
【発明を実施するための最良の形態】
【００２６】
以下、本発明の実施形態を図面を参照して説明する。以下の実施形態では本発明を自動車に搭載されているスピードメータに適用した例について説明するが、本発明はそれ以外の車両用メータ、もしくは他分野における計器にも適用可能である。
【００２７】
＜第１の実施形態＞
本発明の車両用計器等を、自動車のスピードメータに適用した例について図１ないし図６を参照して説明する。
【００２８】
「全体構成」
本実施形態のスピードメータは、図１に示すように、ＲＯＭ１（請求項に記載の「表示基本データ記憶手段」、「振れ角記憶手段」、「単位振れ角記憶手段」に相当）と、ＲＡＭ２と、ＶＲＡＭ３（請求項に記載の「画像生成手段」に相当）と、マイクロコンピュータ４（請求項に記載の「指針位置演算手段」、「単位振れ角算出手段」に相当）と、グラフィックコントローラ５と、液晶パネル６（請求項に記載の「表示手段」に相当）とから構成されている。また、マイクロコンピュータ４は車速センサ７の出力信号を受けてその都度、車速値を求め、これをＲＡＭ２に更新記憶している。
【００２９】
液晶パネル６は、マトリクス状に多数の画素を配置して構成されており、各画素の発光色を指定することで、所定の画像を表示し得るようになっている。これら各画素には座標値が付与されており、液晶パネル６上の中心位置にあたる画素を原点０（（ｘ，ｙ）＝（０，０））として直交座標系が設定されている。
この液晶パネル６は自動車の車室内に設けたインストルメントパネルに配設されており、グラフィックコントローラ５によって図２に示すような円弧形状の目盛盤１０（目盛盤部）、指針２０及びフューエルメータ３０が表示されるようになっている。
【００３０】
目盛盤１０には、その内周面に沿って等間隔でもって複数の仕切り線１１が配されており、さらにその内側には所定の仕切り線１１と一致する位置に複数の数値からなる目盛１２が配されている。この目盛１２は最小値目盛の０（ｋｍ／ｈ）から２０（ｋｍ／ｈ）間隔で順次大きな数値で刻まれ最大値目盛の１８０（ｋｍ／ｈ）までの計１０個の数値からなり、円周方向に沿って等間隔で配されている。
【００３１】
また、指針２０は固定端２１（基端点）を中心として、可動端２２（先端点）が目盛盤１０の周方向に沿って動くことで、回動動作表示が行われるようになっている。
【００３２】
ＲＯＭ１は、表示基本データとして、目盛盤１０を表す目盛盤形成データＤｓを一枚のビットマップデータとして記憶しているとともに、指針２０の表示に関する指針形成データＤｉを記憶している（図３参照）。尚、この目盛盤形成データＤｓにより図２に示すように液晶パネル上に目盛盤１０が表示されるようになっている。
【００３３】
指針形成データＤｉは、液晶パネル６上に表示される指針２０において、その固定端２１の表示座標（請求項に記載の「基端点位置データ」に相当）、指針２０の長さの情報（以下、指針長という。請求項に記載の「指針長データ」に相当。）、車速が０（ｋｍ／ｈ）及び１８０（ｋｍ／ｈ）であるときの指針２０の位置に関する情報及び属性情報から構成されている。
【００３４】
ここで、固定端２１の表示座標は液晶パネル６上における中心位置、すなわち原点０に設定されている。また、車速が０（ｋｍ／ｈ）であるときの指針２０の位置に関する情報とは、図５に示すように、一の座標軸（以下、基準座標軸Ａｓという。）を基準としたとき、その基準座標軸Ａｓと指針２０とのなす角θｍｉｎ（以下、最小振れ角θｍｉｎという。）のことであり、本実施形態では、第３象限と第４象限との境界に位置する座標軸を基準座標軸Ａｓと規定している。また車速が１８０（ｋｍ／ｈ）であるときの指針２０の位置に関する情報とは、上記基準座標軸Ａｓと指針２０とのなす角θｍａｘ（以下、最大振れ角θｍａｘという。）のことである。
【００３５】
尚、属性情報とは、具体的には、指針２０の太さ（指針太さデータ）、指針２０の発光色（指針色データ）、斜め線の外縁に発生する階段状のギザギザを消すアンチエイリアシング処理の有無、指針２０の両端２１、２２の形状整形処理の有無を示す情報のことをいう。
【００３６】
また、目盛盤形成データＤｓは液晶パネル６上に表示した場合に、その目盛盤１０の中心位置が当該液晶パネル６上における中心位置と一致するようなデータ構成とされている。  
【００３７】
ＲＡＭ２には、指針２０を表示させるに必要な情報を一時的に記憶するための領域が設けられている。
【００３８】
マイクロコンピュータ４は、図１に示すように、当該自動車のイグニッションスイッチ８を介してバッテリー９から給電されて動作し、図４に示すフローチャートに従って動作し、ＲＯＭ１、ＲＡＭ２及びグラフィックコントローラ５を制御する。また、このマイクロコンピュータ４には浮動小数点演算機能が備えられている。
【００３９】
ＶＲＡＭ３には、マイクロコンピュータ４からの動作指令を受けるグラフィックコントローラ５により、ＲＯＭ１からの目盛盤形成データＤｓを格納する領域が設けられている。
【００４０】
グラフィックコントローラ５は、マイクロコンピュータ４の動作指令に基づいて、ＲＯＭ１に記憶されている目盛盤形成データＤｓをＶＲＡＭ３に格納する処理を行うとともに、液晶パネル６に対して目盛盤１０及び指針２０の表示制御を行う。
【００４１】
また、このグラフィックコントローラ５は、液晶パネル６上に目盛盤１０及び指針２０を表示するために要するレイヤーとして、ＶＲＡＭ３を第１及び第２のレイヤーとして使用しており、このグラフィックコントローラ５は、その画像合成にあたり、第１レイヤーを背景側として用い、第２レイヤーを前面側レイヤーとして用いる。ここで、背景側レイヤーには、目盛盤形成データＤｓが配置され、前面側レイヤーには、指針２０を表示するためのデータが配置されるようになっている。
【００４２】
車速センサ７は、車両の速度を検出するためのものであって、車速に応じた車速信号を出力するものである。この車速センサ７の出力信号線はマクロコンピュータ４の入力に連なっており、その出力信号をマイクロコンピュータ４に対して出力するようになっている。
【００４３】
本実施形態の構成は以上であり、続いてスピードメータの指針表示の方法について図４ないし図６を参照して説明する。尚、図５については、説明の便宜上、フューエルメータ３０の記載を省略している。
【００４４】
車室内に設けられたイグニッションスイッチ８がオンされると、バッテリー９からマイクロコンピュータ４に対して電源供給がなされ、当該マイクロコンピュータ４が作動し、図４に示すフローチャートに従って動作する。
尚、本実施形態では約１６．７ｍｓ毎に液晶パネル６の表示更新を行っている。このような更新間隔としているのは人間の目の残像現象を生かして連続的に画像が変化して見える許容時間間隔を考慮しているからであり、ＴＶの規格に準拠している。
【００４５】
マイクロコンピュータ４は、まずＲＯＭ１に記憶されている指針形成データＤｉを読み出すことにより、指針２０を表示するにあたって、指針２０の固定端２１の座標（ｘ，ｙ）＝（０，０）、指針長Ｒ、最小振れ角θｍｉｎ及び最大振れ角θｍａｘを定義する（ステップＳ１〜ステップＳ４）。
【００４６】
尚、上記ステップＳ１が請求項に記載の基端点座標固定手段及び基端点座標固定処理に相当し、ステップＳ２が請求項に記載の指針部長さ設定手段及び指針部長さ設定処理に相当する。
【００４７】
続いて、読み出された指針形成データＤｉのうち、最小振れ角θｍｉｎ及び最大振れ角θｍａｘから単位速度あたりの指針の回動角θｕ（以下、単位回動角θｕという。）を求める（ステップＳ５）。この単位回動角θｕは、最大振れ角θｍａｘから最小振れ角θｍｉｎを減じた値を最大値目盛１８０（ｋｍ／ｈ）で除して求めることができる。
【００４８】
そして、マイクロコンピュータ４は、グラフィックコントローラ５に対して目盛盤１０の表示命令を行い、これを受けたグラフィックコントローラ５はＲＯＭ１に記憶されている目盛盤形成データＤｓをＶＲＡＭ３内の第１レイヤーに配置する。この後、液晶パネル６に対して表示制御を行い、この液晶パネル６上に目盛盤１０を表示させる（ステップＳ６、図５参照）。  
【００４９】
この後、マイクロコンピュータ４は車速センサ７からの出力信号を受け、この出力信号から車速を算出し（ステップＳ７）、算出した車速に単位回動角θｕを乗じて速度０（ｋｍ／ｈ）のときの指針２０の位置を基準とした振れ角θａを求める。そして、この振れ角θａに最小振れ角θｍｉｎを加えて基準座標軸Ａｓに対する振れ角である絶対振れ角θｂを求める（ステップＳ８、図５参照）。
【００５０】
車速を算出した後、ＲＯＭ１から読み出した指針長Ｒ及び絶対振れ角θｂから指針２０の可動端２２の表示座標（ｘｍ，ｙｍ）を下記式（１），（２）により算出し、この座標値をＲＡＭ２に一旦記憶する（ステップＳ９、図５参照）。
【００５１】
ｘｍ＝Ｒ×│cos（θｂ−90°）│・・・・・・・・・・式（１）
ｙｍ＝Ｒ×│sin（θｂ−90°）│・・・・・・・・・・式（２）
上記処理で指針の可動端２２の座標（ｘｍ，ｙｍ）（請求項に記載の「先端点位置データ」に相当）を算出すると、マイクロコンピュータ４はグラフィックコントローラ５に対して指針２０の太さ、指針２０の発光色、アンチエイリアシング処理の有無、両端２１，２２の形状整形処理の有無に関する情報を送信するとともに（ステップＳ１０）、固定端２１の座標（ｘ，ｙ）＝（０，０）、可動端２２の座標（ｘｍ，ｙｍ）を送信して指針２０の表示命令を出す（ステップＳ１１）。
【００５２】
グラフィックコントローラ５はマイクロコンピュータ４の指針表示の命令を受けて、第２レイヤー上に指針２０を配置する。具体的には、この第２レイヤー上において、固定端２１及び可動端２２の座標間に直線を描画するとともに、上記指針２０の属性を設定し、その後、液晶パネル６を表示制御制することで液晶パネル６上に指針２０を表示させる。
【００５３】
尚、本実施形態では、指針２０の発光色は赤、太さは３ライン分の太さとされている。また、アンチエイリアシング処理を施して、指針外縁の波形状を直線形状に整形するとともに、両端２１、２２の形状整形処理を行って指針２０の見栄えを向上させている。
【００５４】
以降、マイクロコンピュータ４はイグニッションスイッチ８がオン状態であるときには、ステップＳ７〜ステップＳ１１を繰り返して指針表示を行う。一方、イグニッションスイッチ８がオフされると、スピードメータの動作が終了する。
【００５５】
以下、実際に自動車を動作させた際のスピードメータの表示動作について説明する。
【００５６】
「停止時又は定速度走行時」
例えば、運転者が車内に乗り込んでイグニッションスイッチ８をオンすると、マイクロコンピュータ４が作動して、液晶パネル６上に文字盤１０及び指針２０が表示される。停止状態であれば、ステップＳ８の処理にて絶対振れ角θｂはθｍｉｎと同一値となるから、指針２０の可動端２１の座標は０（ｋｍ／ｈ）に一致する座標となり、指針２０は目盛盤１０の数字「０」を指示する。
【００５７】
また、自動車が一定速度で走行しているときには、ステップＳ８の処理にて絶対振れ角θｂが実際の車速に対応した値となり、結局指針２０の可動端２２の座標は一定となるから、指針２０は目盛盤１０上において、車速に一致した目盛を指示する。
【００５８】
「車速変化時」
運転者のアクセル又はブレーキ操作によって、車速が変化した場合にはステップＳ８にて絶対振れ角θｂが車速変化に伴って減少又は増大方向へ変動する。これによって、指針２０の可動端２１の表示座標が変動し、液晶パネル６上に表示される指針の指示が変化することとなる。
【００５９】
例えば、アクセル操作によって４０（ｋｍ／ｈ）の定速走行状態から６０（ｋｍ／ｈ）に車速が変化する場合には、ステップＳ８にて絶対振れ角θｂが４０（ｋｍ／ｈ）における絶対振れ角θ１から６０（ｋｍ／ｈ）における絶対振れ角θ２に連続的に変化する。これにより、ステップＳ９にて可動端２２の座標が４０（ｋｍ／ｈ）に対応した座標（ｘ１，ｙ１）から６０（ｋｍ／ｈ）に対応した座標（ｘ２，ｙ２）へと連続的に変化し、結果として、液晶パネル６上の指針２０の指示が４０（ｋｍ／ｈ）から６０（ｋｍ／ｈ）へと連続的に変化し、指針２０の回動動作表示が実現されることとなる（図６参照）。
【００６０】
本実施形態のスピードメータによれば、車速センサ７の出力信号に基づいて算出した車速値に対応する指針２０の表示座標を算出し、この算出結果に基づいて液晶パネル６上に指針２０を表示するようにしている。従って、実測値と指示値とを常に一致させることが可能であり、結果として正確な指示を実現することができるとともに、測定値変化時における指針２０の回動動作表示の円滑性を確保することができる。
【００６１】
また、本実施形態では、指針２０の固定端２１の表示座標を固定しつつ、可動端２２の表示座標を特定することによって指針２０の表示位置を設定している。つまり、可動端２２の座標だけを算出すれば指針２０を所定の位置に表示することができるのである。しかも、本実施形態では、基準座標軸Ａｓに対する指針２０の絶対振れ角θｂを算出し、続いてこの絶対振れ角θｂと指針長Ｒとから可動端２２の表示座標を特定する、という簡易な処理によってこの可動端２１の表示座標を特定している。これによって、マイクロコンピュータ４の演算負担を軽減することが可能となり、例えば、短時間で測定値が大幅に変化するような場合であっても、確実に指針の表示を追従させることができる。
【００６２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６３】
上記実施形態では、スピードメータに適用した例を示したが、例えば、エンジン回転数を表示するタコメータ、エンジンへの加給圧を表示するブーストメータに適用することができる。
【００６４】
また、上記実施形態では、真円計形状の目盛盤１０であったが、楕円形状の目盛盤としてもよい。この場合、目盛盤１０の外枠形状を楕円形状にデザインし、指針の回動動作表示は上記実施形態と同様に行う。従って、仕切り線１１、目盛１２の配置は上記実施形態のように、円弧状に周方向に沿って等間隔で配することとなる。
【００６５】
また、単位回動角θｕを最小振れ角θｍｉｎ及び最大振れ角θｍａｘから算出するようにしたが、この単位回動角θｕをあらかじめ記憶する構成としてもよい。
【００６６】
また、表示手段として、本実施形態では液晶パネルを用いた例を示したが、例えば有機ＥＬや陰極線管式のディスプレイを用いてもよい。
【００６７】
また、本実施形態では基準座標軸Ａｓは、Ｙ軸を基準としていたが、これに限られず、任意の基準軸を設定し、それに基づいて最大振れ角θｍｉｎ、最大振れ角θｍａｘの設定、及び可動端２２の表示座標の算出処理を行うようにしてもよい。
【００６８】
また、上記実施形態では、仕切り線１１、目盛１２は円周方向に沿って等間隔で配されていたが、例えば１００（ｋｍ／ｈ）以上の高速域は低速域の１／２間隔にする等全域に渡り等間隔にする必要はなく、領域毎に最小振れ角を決定してもよい。
【００６９】
また、上記実施形態では、車速センサ７からの信号により車速値を算出していたが、他の制御系からの通信、例えばＣＡＮ信号を使って算出してもよい。
【図面の簡単な説明】
【００７０】
【図１】第１実施形態に係るスピードメータの構成を示すブロック図である。
【図２】液晶パネル上に表示された目盛盤と指針を示す概念図である。
【図３】指針形成データの内容を示す説明図である。
【図４】マイクロコンピュータの動作を示すフローチャートである。
【図５】指針の表示処理を示す説明図である。
【図６】指針の表示処理を示す説明図である。
【符号の説明】
【００７１】
１…ＲＯＭ（表示基本データ記憶手段）
２…ＲＡＭ
３…ＶＲＡＭ（画像生成手段）
４…マイクロコンピュータ（指針位置演算手段）
５…グラフィックコントローラ（画像生成手段）
６…液晶パネル（表示手段）
７…車速センサ
【図１】
2006234505.tif 000003
【図２】
2006234505.tif 000004
【図３】
2006234505.tif 000005
【図４】
2006234505.tif 000006
【図５】
2006234505.tif 000007
【図６】
2006234505.tif 000008